(57)【特許請求の範囲】
【請求項１】
ユーザからの投稿情報を示す投稿データを保存し該投稿データを提供する投稿データ提供サーバ、及び、ユーザ端末と通信可能なデータ提供サーバを用いて、前記ユーザ端末の表示部に生活支援情報を表示させるための表示データを前記ユーザ端末に向けて提供するデータ提供方法であって、
前記投稿データ提供サーバと通信して、前記投稿データ提供サーバに保存されている前記投稿データの中から、前記データ提供サーバに保存されている前記表示データに応じた前記生活支援情報とは異なる前記生活支援情報に関する前記投稿データを特定する特定処理と、
前記特定処理にて特定された前記投稿データに基づいて、前記投稿データに応じた前記生活支援情報を前記表示部に表示させるための前記表示データを生成し、生成した前記表示データを前記ユーザ端末に向けて提供する表示データ提供処理と、
前記表示データ提供処理にて提供された前記表示データに応じた前記生活支援情報、に対して前記ユーザ端末の入力部にて受け付けられた評価結果、を示す評価データを前記ユーザ端末側から受信する評価データ受信処理と、
前記特定処理にて特定された前記投稿データと前記評価データ受信処理にて受信された前記評価データとを関連付けて記憶する関連付け処理と、
を有し、前記データ提供サーバを用いてそれぞれの処理を実行し、
前記評価データ受信処理では、前記生活支援情報に示された内容の実行についての前記ユーザの意思表示を前記入力部にて受け付けてから所定時間が経過した時点で前記入力部にて受け付け可能となる、前記生活支援情報が有用であるか否かについての前記評価結果を示す前記評価データを受信し、
前記関連付け処理の実行後に前記表示データ提供処理を再度実行する場合には、前記関連付け処理にて関連付けられた前記投稿データ及び前記評価データの双方に基づいて、当該双方に応じた前記生活支援情報及び前記評価結果を前記表示部に表示させるための評価付き表示データを生成し、生成した該評価付き表示データを前記ユーザ端末に向けて提供することを特徴とするデータ提供方法。
【請求項２】
前記生活支援情報は、建物内でのエネルギー使用量を削減するために用いられる省エネルギー支援情報であり、
前記評価データは、前記省エネルギー支援情報が有用であるか否かについての前記評価結果を示すデータであることを特徴とする請求項１に記載のデータ提供方法。
【請求項３】
前記特定処理では、前記投稿データ提供サーバと通信して、前記投稿データ提供サーバに保存されている前記投稿データの中から、予め指定されたキーワードを含み、かつ、前記データ提供サーバに保存されている前記表示データに応じた前記生活支援情報とは異なる前記生活支援情報に関する前記投稿データを特定することを特徴とする請求項１又は請求項２に記載のデータ提供方法。
【請求項４】
前記関連付け処理では、前記評価データ受信処理にて受信された前記評価データを、前記特定処理にて特定された前記投稿データに応じた前記生活支援情報に対して割り当てられたキー番号と対応させて記憶し、
前記評価データ受信処理にて前記評価データを新たに受信する毎に、前記関連付け処理を実行することを特徴とする請求項１乃至請求項３のいずれか１項に記載のデータ提供方法。
【請求項５】
前記データ提供処理において、複数の前記生活支援情報及び前記評価結果を前記表示部に表示させるための前記評価付き表示データを生成する場合には、
前記投稿データ毎に関連付けた前記評価データに基づいて、前記投稿データに応じた前記生活支援情報の各々に対して表示順位を決め、各前記生活支援情報が対応する前記表示順位に従って前記表示部に表示されるように前記評価付き表示データを生成することを特徴とする請求項１乃至請求項４のいずれか１項に記載のデータ提供方法。
【請求項６】
前記評価データ受信処理では、前記評価データと共に、該評価データを前記データ提供サーバに向けて送信した前記ユーザ端末を特定するための端末特定データを前記ユーザ端末側から受信し、
前記ユーザ端末のうち、前記評価データ受信処理にて受信された前記端末特定データに基づいて特定される被特定端末に向けて前記評価付き表示データを提供する前記データ提供処理を実行する場合には、
前記被特定端末側から受信した前記評価データと関連付けられた前記投稿データ以外の未評価投稿データ、及び、該未評価投稿データに関連付けられた評価データに基づいて、前記被特定端末の前記入力部では未だ前記評価結果が受け付けられていない前記生活支援情報と当該生活支援情報に対する前記評価結果とを前記表示部に表示させるための前記評価付き表示データを生成することを特徴とする請求項１乃至請求項５のいずれか１項に記載のデータ提供方法。
【請求項７】
ユーザ端末と通信可能であり、該ユーザ端末の表示部に生活支援情報を表示させるための表示データを前記ユーザ端末に向けて提供するデータ提供サーバであって、
ユーザからの投稿情報を示す投稿データを保存し該投稿データを提供する投稿データ提供サーバ、及び、前記ユーザ端末と通信するための通信部と、
データを保存するための保存部と、
データ処理を行う処理部と、を備え、
前記処理部は、
前記通信部を介して前記投稿データ提供サーバと通信して、前記投稿データ提供サーバに保存されている前記投稿データの中から、前記保存部に保存されている前記表示データに応じた前記生活支援情報とは異なる前記生活支援情報に関する前記投稿データを特定する特定処理と、
前記特定処理にて特定された前記投稿データに基づいて、前記投稿データに応じた前記生活支援情報を前記表示部に表示させるための前記表示データを生成し、生成した前記表示データを前記ユーザ端末に向けて提供する表示データ提供処理と、
前記表示データ提供処理にて提供された前記表示データに応じた前記生活支援情報、に対して前記ユーザ端末の入力部にて受け付けられた評価結果、を示す評価データを前記ユーザ端末側から受信する評価データ受信処理と、
前記特定処理にて特定された前記投稿データと前記評価データ受信処理にて受信された前記評価データとを関連付けて記憶する関連付け処理と、をそれぞれ実行し、
前記評価データ受信処理では、前記生活支援情報に示された内容の実行についての前記ユーザの意思表示を前記入力部にて受け付けてから所定時間が経過した時点で前記入力部にて受け付け可能となる、前記生活支援情報が有用であるか否かについての前記評価結果を示す前記評価データを受信し、
前記関連付け処理の実行後に前記表示データ提供処理を再度実行する場合には、前記関連付け処理にて関連付けられた前記投稿データ及び前記評価データの双方に基づいて、当該双方に応じた前記生活支援情報及び前記評価結果を前記表示部に表示させるための評価付き表示データを生成し、生成した該評価付き表示データを前記ユーザ端末に向けて提供することを特徴とするデータ提供サーバ。
【発明の詳細な説明】
【技術分野】
【０００１】
本発明は、データ提供方法及びデータ提供サーバに係り、特に、ユーザ端末の表示部に生活支援情報を表示させるための表示データを、ユーザ端末に向けて提供するデータ提供方法及びデータ提供サーバに関する。
【背景技術】
【０００２】
ユーザに対して生活支援情報を提供するために、ユーザ端末の表示部に生活支援情報を表示させるための表示データをユーザ端末に向けて提供するデータ提供サーバ、及び、当該データ提供サーバを用いたデータ提供方法は、既に知られている。（例えば、特許文献１参照）。ユーザは、インターネット等の通信網を介して上記データ提供サーバと通信することにより、同データ提供サーバを通じた情報提供サービスを利用することができる。
【先行技術文献】
【特許文献】
【０００３】
【特許文献１】特開２００２−３６６６３７号公報
【発明の概要】
【発明が解決しようとする課題】
【０００４】
ただし、データ提供サーバの管理者（すなわち、生活支援情報提供サービスの運営者）が自前で準備できる生活支援情報については、内容や件数が限られてくるため、バリエーションが乏しくなってしまう。さらに、情報提供サービスの利用者（ユーザ）側の要望として、提供される各生活支援情報に関して、有用性や効果の度合いについての開示を求める場合もある。
【０００５】
本発明は、上記の問題に鑑みてなされたものであり、その目的は、データ提供サーバを通じてユーザに提供される生活支援情報に関して、バリエーションを充実させつつ、より効果的な情報提供を実現することにある。
【課題を解決するための手段】
【０００６】
前記課題は、本発明のデータ提供方法によれば、ユーザからの投稿情報を示す投稿データを保存し該投稿データを提供する投稿データ提供サーバ、及び、ユーザ端末と通信可能なデータ提供サーバを用いて、前記ユーザ端末の表示部に生活支援情報を表示させるための表示データを前記ユーザ端末に向けて提供するデータ提供方法であって、（Ａ）前記投稿データ提供サーバと通信して、前記投稿データ提供サーバに保存されている前記投稿データの中から、前記データ提供サーバに保存されている前記表示データに応じた前記生活支援情報とは異なる前記生活支援情報に関する前記投稿データを特定する特定処理と、（Ｂ）前記特定処理にて特定された前記投稿データに基づいて、前記投稿データに応じた前記生活支援情報を前記表示部に表示させるための前記表示データを生成し、生成した前記表示データを前記ユーザ端末に向けて提供する表示データ提供処理と、（Ｃ）前記表示データ提供処理にて提供された前記表示データに応じた前記生活支援情報、に対して前記ユーザ端末の入力部にて受け付けられた評価結果、を示す評価データを前記ユーザ端末側から受信する評価データ受信処理と、（Ｄ）前記特定処理にて特定された前記投稿データと前記評価データ受信処理にて受信された前記評価データとを関連付けて記憶する関連付け処理と、を有し、前記データ提供サーバを用いてそれぞれの処理を実行し、（Ｅ）前記評価データ受信処理では、前記生活支援情報に示された内容の実行についての前記ユーザの意思表示を前記入力部にて受け付けてから所定時間が経過した時点で前記入力部にて受け付け可能となる、前記生活支援情報が有用であるか否かについての前記評価結果を示す前記評価データを受信し、（Ｆ）前記関連付け処理の実行後に前記表示データ提供処理を再度実行する場合には、前記関連付け処理にて関連付けられた前記投稿データ及び前記評価データの双方に基づいて、当該双方に応じた前記生活支援情報及び前記評価結果を前記表示部に表示させるための評価付き表示データを生成し、生成した該評価付き表示データを前記ユーザ端末に向けて提供することにより解決される。
【０００７】
本発明のデータ提供方法については、データ提供サーバの機能を通じて外部から生活支援情報を収集する結果、ユーザに提供可能な生活支援情報に関して、バリエーションが充実することになる。また、データ提供サーバの機能を通じて、外部から収集した生活支援情報に対するユーザの評価結果をユーザ端末側から入手し、以降、その生活支援情報を提供する際には、当該生活支援情報に対する有効性の評価結果を併せてユーザに提供する。さらに、評価結果については、ユーザが生活支援情報に示される内容を実行してみようという意思表示をユーザ端末にて受け付けた後、その実行のために確保された時間が経過した時点でユーザ端末にて受け付け可能となる。このため、生活支援情報に示される内容を実際に実行した上で生活支援情報の評価結果が入力されるようになるので、当該評価結果が妥当なものとなる。
以上の結果、ユーザにとってより効果的な生活支援情報を提供できるようになる。
【０００８】
また、上記のデータ提供方法において、前記生活支援情報は、建物内でのエネルギー使用量を削減するために用いられる省エネルギー支援情報であり、前記評価データは、前記省エネルギー支援情報が有用であるか否かについての前記評価結果を示すデータであることこととしてもよい。
かかる方法であれば、生活支援情報としての省エネルギー支援情報について、バリエーションが豊富となり、かつ、ユーザにとってより効果的な情報を提供することが可能になる。
【０００９】
また、上記のデータ提供方法において、前記特定処理では、前記投稿データ提供サーバと通信して、前記投稿データ提供サーバに保存されている前記投稿データの中から、予め指定されたキーワードを含み、かつ、前記データ提供サーバに保存されている前記表示データに応じた前記生活支援情報とは異なる前記生活支援情報に関する前記投稿データを特定することとしてもよい。
かかる方法であれば、投稿データ提供サーバに保存されているデータの中から所定のデータを検索し特定する処理をキーワードに基づいて効率よく実行することが可能になる。
【００１０】
また、上記のデータ提供方法において、前記関連付け処理では、前記評価データ受信処理にて受信された前記評価データを、前記特定処理にて特定された前記投稿データに応じた前記生活支援情報に対して割り当てられたキー番号と対応させて記憶し、前記評価データ受信処理にて前記評価データを新たに受信する毎に、前記関連付け処理を実行することとしてもよい。
かかる方法であれば、特定処理にて特定された投稿データと評価データ受信処理にて受信された評価データとが適切に関連付けられ、生活支援情報に対する評価結果について、最新の内容をユーザに提供できるようにデータを管理することが可能になる。
【００１１】
また、上記のデータ提供方法において、前記データ提供処理において、複数の前記生活支援情報及び前記評価結果を前記表示部に表示させるための前記評価付き表示データを生成する場合には、前記投稿データ毎に関連付けた前記評価データに基づいて、前記投稿データに応じた前記生活支援情報の各々に対して表示順位を決め、各前記生活支援情報が対応する前記表示順位に従って前記表示部に表示されるように前記評価付き表示データを生成することとしてもよい。
かかる方法であれば、各生活支援情報を、その評価結果に応じた表示順位にて表示させることが可能になる。この結果、ユーザ端末の表示部において、例えば、高評価を得ている生活支援情報ほど上位に表示させることが可能になり、ユーザにとって利便性の高い情報提供サービスが実現されるようになる。
【００１２】
また、上記のデータ提供方法において、前記評価データ受信処理では、前記評価データと共に、該評価データを前記データ提供サーバに向けて送信した前記ユーザ端末を特定するための端末特定データを前記ユーザ端末側から受信し、前記ユーザ端末のうち、前記評価データ受信処理にて受信された前記端末特定データに基づいて特定される被特定端末に向けて前記評価付き表示データを提供する前記データ提供処理を実行する場合には、前記被特定端末側から受信した前記評価データと関連付けられた前記投稿データ以外の未評価投稿データ、及び、該未評価投稿データに関連付けられた評価データに基づいて、前記被特定端末の前記入力部では未だ前記評価結果が受け付けられていない前記生活支援情報と当該生活支援情報に対する前記評価結果とを前記表示部に表示させるための前記評価付き表示データを生成することを特徴とすることとしてもよい。
かかる方法であれば、生活支援情報のうち、未評価の情報（例えば、ユーザが未だ実践していない内容に関する情報）のみを表示させることも可能になる。この結果、例えば、ユーザが未だ評価していない新着情報を優先的に表示させることが可能になり、ユーザにとって更に利便性の高い情報提供サービスが実現されるようになる。
【００１３】
さらに、ユーザ端末と通信可能であり、該ユーザ端末の表示部に生活支援情報を表示させるための表示データを前記ユーザ端末に向けて提供するデータ提供サーバであって、（Ａ）ユーザからの投稿情報を示す投稿データを保存し該投稿データを提供する投稿データ提供サーバ、及び、前記ユーザ端末と通信するための通信部と、（Ｂ）データを保存するための保存部と、（Ｃ）データ処理を行う処理部と、を備え、（Ｄ）前記処理部は、（ｄ１）前記通信部を介して前記投稿データ提供サーバと通信して、前記投稿データ提供サーバに保存されている前記投稿データの中から、前記保存部に保存されている前記表示データに応じた前記生活支援情報とは異なる前記生活支援情報に関する前記投稿データを特定する特定処理と、（ｄ２）前記特定処理にて特定された前記投稿データに基づいて、前記投稿データに応じた前記生活支援情報を前記表示部に表示させるための前記表示データを生成し、生成した前記表示データを前記ユーザ端末に向けて提供する表示データ提供処理と、（ｄ３）前記表示データ提供処理にて提供された前記表示データに応じた前記生活支援情報、に対して前記ユーザ端末の入力部にて受け付けられた評価結果、を示す評価データを前記ユーザ端末側から受信する評価データ受信処理と、（ｄ４）前記特定処理にて特定された前記投稿データと前記評価データ受信処理にて受信された前記評価データとを関連付けて記憶する関連付け処理と、をそれぞれ実行し、（ｄ５）前記評価データ受信処理では、前記生活支援情報に示された内容の実行についての前記ユーザの意思表示を前記入力部にて受け付けてから所定時間が経過した時点で前記入力部にて受け付け可能となる、前記生活支援情報が有用であるか否かについての前記評価結果を示す前記評価データを受信し、（ｄ６）前記関連付け処理の実行後に前記表示データ提供処理を再度実行する場合には、前記関連付け処理にて関連付けられた前記投稿データ及び前記評価データの双方に基づいて、当該双方に応じた前記生活支援情報及び前記評価結果を前記表示部に表示させるための評価付き表示データを生成し、生成した該評価付き表示データを前記ユーザ端末に向けて提供することを特徴とするデータ提供サーバも実現可能である。
かかるデータ提供サーバであれば、外部から生活支援情報を収集する機能を有し、また、外部から収集した生活支援情報に対するユーザの評価結果をユーザ端末側から入手し、以降、その生活支援情報を提供する際には当該生活支援情報に関する評価結果を併せて提供する機能を有することから、ユーザに提供する生活支援情報に関して、バリエーションが充実し、より効果的な情報として提供されることになる。
【発明の効果】
【００１４】
本発明のデータ提供方法によれば、データ提供サーバの機能を通じて、外部から生活支援情報を収集することが可能になる。この結果、ユーザに提供する生活支援情報に関して、バリエーションが充実することになる。また、データ提供サーバの機能を通じて、外部から収集した生活支援情報に対するユーザの評価結果をユーザ端末側から入手し、以降、その生活支援情報を提供する際には、当該生活支援情報の有効性に対する評価結果を併せてユーザに提供する。さらに、評価結果については、ユーザが生活支援情報に示される内容を実行してみようという意思表示をユーザ端末にて受け付けた後、その実行のために確保された時間が経過した時点でユーザ端末にて受け付け可能となる。このため、生活支援情報に示される内容を実際に実行した上で生活支援情報の評価結果が入力されるようになるので、当該評価結果が妥当なものとなる。以上の結果、ユーザにとって、より効果的な生活支援情報を提供できるようになる。
【図面の簡単な説明】
【００１５】
【図１】本実施形態における生活支援情報提供システム１００を示す概念図である。
【図２】本実施形態に係るデータ提供サーバ１０及びユーザ端末２０について各々の構成例を示した図である。
【図３】表示部２１の表示画面についての一例を示す図である。
【図４】特定処理の流れを示す図である。
【図５】評価データ受信処理を含む評価データに関するユーザ端末２０とデータ提供サーバ１０とのやり取りを示す図である。
【図６】第１データベースＤ１を示す図である。
【図７】第２データベースＤ２を示す図である。
【図８】テーブルデータＴを示す図である。
【図９】評価付き表示データを生成・提供する手順を示す概念図である。
【図１０】表示データ作成処理の流れを示すフロー図である。
【図１１】本実施形態に係るデータ提供方法に関する具体例を示した第一図である。
【図１２】本実施形態に係るデータ提供方法に関する具体例を示した第二図である。
【図１３】図１３Ａ〜１３Ｃは、本実施形態に係るデータ提供方法に関する具体例を示した第三図である。
【発明を実施するための形態】
【００１６】
＜＜生活支援情報提供システム１００について＞＞
先ず、図１及び図２を用いて、本実施形態に係るデータ提供サーバ１０を含む生活支援情報提供システム１００について概説する。図１は、本実施形態における生活支援情報提供システム１００を示す概念図である。図２は、本実施形態に係るデータ提供サーバ１０及びユーザ端末２０について各々の構成例を示した図である。
【００１７】
生活支援情報提供システム１００は、生活支援情報をユーザに提供する目的で構築された通信システムであり、図１に示すように、主たる構成要素として、データ提供サーバ１０と、ユーザ端末２０と、投稿データ提供サーバ３０とを有している。
ここで、生活支援情報とは、日常生活に関する有用な（有益な）情報であり、本実施形態では、省エネルギー支援情報が生活支援情報の一例としてユーザに提供される。なお、省エネルギー支援情報とは、建物内でのエネルギー使用量を削減するために用いられる情報であり、より具体的には、家庭や職場等でのエネルギー消費量の削減（省エネルギー化）を図るためのアドバイスや参考事例に関する情報等である。
【００１８】
本実施形態に係るデータ提供サーバ１０は、生活支援情報提供サービスの運営者が保有するサーバコンピュータ（より詳しくはＷＥＢサーバ）であり、インターネット１を介してユーザ端末２０及び投稿データ提供サーバ３０と通信可能である。そして、データ提供サーバ１０は、インターネット１を介して表示データ等の各種データをユーザ端末２０に向けて提供する。ここで、ユーザ端末２０に向けてデータを提供するとは、能動的に、あるいは、ユーザ端末２０側からのデータ送信要求に応じてデータをユーザ端末２０に向けて配信する場合の他、データ提供サーバ１０にアクセスしてきたユーザ端末２０に対してデータ提供サーバ１０に格納されたデータの読み込みを許可する場合を含む。
【００１９】
また、表示データとは、データ提供サーバ１０が提供するデータのうち、ユーザ端末２０の表示部２１に省エネルギー支援情報を表示させるためのデータである。つまり、表示データは、ユーザ端末２０に搭載されたＷＥＢブラウザ等のプログラムにより解析され、ユーザ端末２０の表示部２１に省エネルギー支援情報を閲覧可能に表示させるためのデータである。本実施形態に係るデータ提供サーバ１０の構成例については、後に詳述する。
【００２０】
ユーザ端末２０は、生活支援情報提供サービスの利用者（ユーザ）がデータ提供サーバ１０からの表示データを受信し、当該表示データに応じた省エネルギー支援情報を閲覧するための機器であり、具体的にはユーザが管理するコンピュータや携帯情報端末等である。
【００２１】
ユーザ端末２０は、図１に示すように、主たる構成要素として、ディスプレイのように表示画面に情報が表示される表示部２１と、キーボードやマウスのようにユーザからの入力操作を受け付ける入力部２２と、ＣＰＵと、メモリと、インターネット１を介してデータ提供サーバ１０と通信を行うための通信インタフェースと、各種データを保存するための補助記憶装置とを有している。なお、表示部２１と入力部２２については、タッチパネルのように一体化された構成であってもよい。さらに、ユーザ端末２０には、インターネット１を介して取得した各種データに基づいて表示部２１（より詳しくは、図３におけるブラウザ画面４０）に文字や画像等を表示させるためのプログラム（例えば、ブラウザプログラム）がインストールされている。
【００２２】
また、本実施形態において、ユーザ端末２０は、ユーザが居住する住宅２内に設置され、図２に示すように、当該住宅２内で利用されるエネルギー消費機器（例えば、リビングエアコン等の電力消費機器やガスレンジ等のガス消費機器）と通信可能である。これにより、ユーザ端末２０は、上記のエネルギー消費機器の運転状況をモニタリングすることができる。さらに、住宅２内には各エネルギー消費機器のエネルギー消費量を測定するセンサ３が設けられており、ユーザ端末２０は、センサ３による測定結果を示すデータを当該センサ３から取得し、表示部２１に測定結果を表示させることが可能である。
【００２３】
投稿データ提供サーバ３０とは、インターネット１に接続されたサーバコンピュータのうち、データ提供サーバ１０と通信可能なサーバコンピュータ（より詳しくは、ＷＥＢサーバ）であり、ユーザからの投稿情報を示す投稿データを保存し該投稿データを提供する。ここで、投稿データとは、例えばブログサービスやソーシャルネットワークサービスにおいてユーザが投稿する文字情報（投稿情報）をユーザ端末２０の表示部２１に表示させるためのデータである。
【００２４】
なお、本実施形態では、ブログサービスやソーシャルネットワークサービス等のサービスを提供する会社が保有するサーバ（サービス提供用サーバ）であって、そのサービス利用者から投稿された情報をデータベースとして管理するサーバを投稿データ提供サーバ３０の一例に挙げることとする。ただし、これに限定されるものではなく、例えば、上記のサービス提供用サーバとユーザ端末２０との中継となるリバースプロキシサーバであってもよい。
【００２５】
＜＜表示部２１の表示画面について＞＞
次に、ユーザ端末２０の表示部２１に表示される画面（ブラウザ画面４０）について、図３を参照しながら説明する。図３は、表示部２１の表示画面についての一例を示す図である。
【００２６】
表示部２１の表示画面としてのブラウザ画面４０の一領域には、図３に示すように、省エネルギー支援情報が表示される。この省エネルギー支援情報の表示は、データ提供サーバ１０が提供するデータ（表示データ）を受信し、当該データに基づいて行われる。一方、ブラウザ画面４０は、省エネルギー支援情報が表示される領域とは異なる領域に、エネルギー消費機器に関する情報が表示される。エネルギー消費機器に関する情報としては、例えば、エネルギー消費機器を１時間運転したときのエネルギー消費量（以下、１時間あたりのエネルギー消費量）を示す情報やエネルギー消費量の累積値を示す情報等が挙げられる。これらのエネルギー消費機器に関する情報の表示は、エネルギー消費量の測定結果を示すデータを上述のセンサ３から取得し、当該データに基づいて行われる。
【００２７】
また、本実施形態では、住宅２内で使用されるエネルギー消費機器毎にブラウザ画面４０を切替えることが可能である（換言すると、エネルギー消費機器の数だけブラウザ画面４０が用意される）。これにより、例えば、リビングエアコン用のブラウザ画面４０（図３に示す画面）を選択すれば、リビングエアコンについて、省エネルギー支援情報及びエネルギー消費量に関する情報を閲覧することが可能になる。かかる場合、図３に示すように、エネルギー消費量に関する情報として、エネルギー消費量の累積値に応じた順位（前回の順位からの変動を示す情報を含む）が表示されることとしてもよい。
【００２８】
さらに、本実施形態では、エネルギー消費量に関する情報として、１時間あたりのエネルギー消費量（図３では、１時間あたり消費電力量）が表示されるが、かかる情報としては、省エネルギー支援情報に示された内容を実施する前の段階の値（図３では『実施前』の欄に表示）と、実施した後の段階の値（図３では『実施後』の欄に表示）とが表示される。これにより、省エネルギー支援情報による省エネルギー効果を数値として把握することが可能となる。なお、エネルギー消費量に関する情報としては、図３に示すように、当該消費量に相当する電気料金を併せて表示させることとしてもよい。
【００２９】
＜＜本実施形態に係るデータ提供サーバ１０について＞＞
次に、本実施形態に係るデータ提供サーバ１０の構成例を説明する。
【００３０】
本実施形態に係るデータ提供サーバ１０は、既述のように、インターネット１を介してユーザ端末２０と通信可能であり、該ユーザ端末２０からの要求に応じて、表示データ等の各種データをユーザ端末２０に向けて提供する。かかる機能を有するデータ提供サーバ１０は、その構成要素として、通信部１１と保存部１２と処理部１３とを備えている（図２参照）。
【００３１】
通信部１１は、投稿データ提供サーバ３０及びユーザ端末２０と通信するためのものであり、通信用インタフェースから構成されている。保存部１２は、表示データ等の各種データを保存するためのものであり、磁気記憶装置等から構成されている。処理部１３は、データ処理を行うためのものであり、ＣＰＵ、メモリ、及び、メモリに格納されたプログラム等により構成されている。そして、本実施形態において処理部１３は、特定処理、表示データ提供処理、評価データ受信処理、及び関連付け処理を実行する。以下、処理部１３により実行される各処理について説明する。
【００３２】
＜特定処理＞
特定処理は、通信部１１を介して投稿データ提供サーバ３０と通信し、投稿データ提供サーバ３０に保存されている投稿データのうち、所定の投稿データを、特定する処理である。以下、図４を参照しながら、特定処理について具体的に説明する。図４は、特定処理の流れを示す図である。
【００３３】
データ提供サーバ１０には、投稿データ提供サーバ３０と通信して、投稿データ提供サーバ３０に保存されている投稿データのうち、所定の投稿データを探索し、当該所定の投稿データを特定するプログラムが搭載されている。ここで、所定の投稿データとは、データ提供サーバ１０の保存部１２に保存されている表示データに応じた省エネルギー支援情報とは異なる省エネルギー支援情報に関する投稿データである。すなわち、所定の投稿データが示す情報は、投稿データ提供サーバ３０が提供するユーザからの投稿情報であって、データ提供サーバ１０が未だ提供していない情報となる。
【００３４】
そして、上記のプログラムが起動すると（Ｓ００１）、処理部１３は、投稿データ提供サーバ３０と通信して、投稿データ提供サーバ３０に保存されている投稿データのうち、所定の投稿データを探索する（Ｓ００２）。この際、探索条件として予めキーワードが指定されている。処理部１３は、所定の投稿データとして、当該キーワードを含み、かつ、データ提供サーバ１０が提供する省エネルギー支援情報とは異なる省エネルギー支援情報に関する投稿データを探索する。なお、キーワードとしては省エネルギーに関する語句（例えば、「電力削減」や「エアコン運転時間」等）が指定され、当該キーワードに対応するデータ（以下、キーワードデータ）が保存部１２に保存されおり、処理部１３は、当該キーワードデータを読み取って上記の探索工程を実行する。なお、本実施形態では、キーワードの中に、住宅２内で利用されるエネルギー消費機器の名称（例えば、「リビングエアコン」や「照明」）が含まれる。
【００３５】
そして、処理部１３は、投稿データ提供サーバ３０に保存されている投稿データの中から、上記の探索要件を満たす所定の投稿データを発見すると（Ｓ００３でＹｅｓ）、当該投稿データを特定する（Ｓ００４）。ここで、『投稿データを特定する』とは、例えば、当該投稿データの所在（例えば、ＵＲＬ情報）に関するデータを記憶しておくことであってもよく、当該投稿データに応じた省エネルギー支援情報を示す文字データを記憶しておくことであってもよい。本実施形態では、投稿データに応じた省エネルギー支援情報及び当該省エネルギー支援情報を掲載したサイト、を示す文字データを記憶するものとする。この文字データは、後述する第１データベースＤ１の構成要素として記憶される。
【００３６】
一方、上記の探索要件を満たす投稿データがない場合（Ｓ００３でＮｏ）、処理部１３は、データ特定処理工程を実行しないままの状態で待機する。そして、処理部１３は、上述した特定処理における一連の工程を一定時間毎に定期的に実行する（Ｓ００５）。
【００３７】
以上のように特定処理では、処理部１３が、投稿データ提供サーバ３０に保存されている投稿データのうち、予め指定されたキーワードを含み、かつ、データ提供サーバ１０が提供していない省エネルギー支援情報に関する投稿データを特定する。このような方法であれば、投稿データ提供サーバ３０に保存されている投稿データの中から、キーワードを基にして所定の投稿データを検索し特定するので、特定処理を効率よく行うことが可能になる。なお、特定処理に係る投稿データ提供サーバ３０については、インターネット１を介してデータ提供サーバ１０と通信可能な投稿データ提供サーバ３０をすべて対象としてもよく、あるいは、データ提供サーバ１０側で予め指定した投稿データ提供サーバ３０のみを対象とすることとしてもよい。
【００３８】
ここで、複数のキーワードが指定されている場合には、キーワード別に特定処理が実行される。かかる場合、各特定処理で特定された投稿データと、当該各特定処理に係るキーワードデータとを関連付けておくことが望ましい。また、複数のキーワードを併せたキーワード群を単位として特定処理を実行することも可能であり、複数のキーワード群があれば、キーワード群別に特定処理が実行されることとしてもよい。
【００３９】
＜表示データ提供処理＞
表示データ提供処理は、上述の特定処理で特定した投稿データに基づいて、当該投稿データに応じた省エネルギー支援情報の表示データを生成し、生成した表示データをユーザ端末２０に向けて提供する処理である。ここで、表示データとは、省エネルギー支援情報をユーザ端末２０の表示部２１に表示させるためのデータである。
【００４０】
データ提供サーバ１０には、特定処理にて特定された投稿データ（より具体的には、当該投稿データを特定する上で記憶したデータ）に基づいて、当該投稿データに応じた省エネルギー支援情報を表示させるための表示データを生成し、生成した表示データをユーザ端末２０に向けて提供するプログラムが搭載されている。つまり、本実施形態に係るデータ提供サーバ１０による情報提供サービスでは、当該データ提供サーバ１０側で当初用意しておいた省エネルギー支援情報に加え、それ以外の省エネルギー支援情報を外部（すなわち、データ提供サーバ１０と通信可能な情報源）から収集してユーザに提供することが可能である。
【００４１】
より具体的に説明すると、ある投稿データが特定処理で特定された場合、処理部１３は、当該ある投稿データに応じた省エネルギー支援情報（以下、ある省エネルギー支援情報）を新着情報としてユーザに提供できるように、ある省エネルギー支援情報の表示データを生成して、当該表示データをユーザ端末２０に向けて提供する。
【００４２】
また、上述したように、本実施形態では、住宅２内で利用されるエネルギー消費機器の名称をキーワードとして投稿データを特定する。したがって、特定処理で特定された投稿データは、キーワードに対応するエネルギー消費機器に関する情報を示すものとなる。そして、データ提供サーバ１０の処理部１３は、当該投稿データに基づいて省エネルギー支援情報の表示データを生成する。このようにして生成された表示データは、その基となる投稿データを特定した時点でキーワードとなっていたエネルギー消費機器に対応付けられたものとなる。この結果、ユーザ端末２０が受信すると、当該対応しているエネルギー消費機器を識別し、エネルギー消費機器毎に切替え可能なブラウザ画面４０のうち、対応するブラウザ画面４０に省エネルギー支援情報を表示する。
【００４３】
なお、処理部１３は、表示データを生成する際、省エネルギー支援情報に対応する文字データと共に、省エネルギー支援情報に対する評価結果をユーザに入力させるための評価ボタンＢ１、Ｂ２を表示させるためのデータを組み込んで表示データを生成する。これにより、省エネルギー支援情報がユーザ端末２０の表示部２１に表示される際には、評価ボタンＢ１、Ｂ２が併せて表示されるようになる（図３参照）。
【００４４】
また、本実施形態では、評価ボタンＢ１、Ｂ２の表示前に、省エネルギー支援情報が示す内容に対してユーザが実行する意思表示を示すための意思表示ボタンＢ３（図３中、『やってみる（実行中）』という言葉が付記されたボタン）が表示される。すなわち、処理部１３は、表示データを生成する際、評価ボタンＢ１、Ｂ２の表示に先立てて意思表示ボタンＢ３を表示させるためのデータを組み込む。
【００４５】
さらに、本実施形態に係るデータ提供サーバ１０において、処理部１３は、後述する関連付け処理の実行後に表示データ提供処理を再度実行する場合、省エネルギー支援情報に対応する文字データと共に、当該省エネルギー支援情報について受信済みの評価データを組み込んで、表示データを生成する。このように生成された表示データを受信したユーザ端末２０では、表示部２１に、省エネルギー支援情報と、当該省エネルギー支援情報に対する評価結果とが併せて表示されるようになる。かかる内容については後に詳述する。
【００４６】
＜評価データ受信処理＞
評価データ受信処理は、表示データ提供処理にて提供された表示データに応じた省エネルギー支援情報に対してユーザ端末２０の入力部２２にて受け付けられた評価結果を示す評価データを、通信部１１を介してユーザ端末２０側から受信する処理である。以下、図５を参照しながら、評価データ受信処理について説明する。図５は、評価データ受信処理を含む評価データに関するユーザ端末２０とデータ提供サーバ１０とのやり取りを示す図である。
【００４７】
本実施形態では、上述したように、表示データ提供処理にて表示データを生成する際に、省エネルギー支援情報に対応する文字データと共に、当該省エネルギー支援情報に対する評価結果をユーザに入力させるための評価ボタンＢ１、Ｂ２（図３参照）を表示させるためのデータを組み込んで、表示データを生成する。この結果、省エネルギー支援情報がユーザ端末２０の表示部２１に表示されると、評価ボタンＢ１、Ｂ２が併せて表示されるようになる。そして、ユーザは、入力部２２を通じていずれかの評価ボタンＢ１、Ｂ２を選択して押す動作を行うことにより、省エネルギー支援情報に対する評価結果を入力することが可能になる。
【００４８】
より具体的に説明すると、ユーザ端末２０側で表示データが受信されると、当該表示データに基づいて、ある省エネルギー支援情報が表示画面（ブラウザ画面４０）に表示されるようになる（Ｓ０１１）。この際、上述したように、ある省エネルギー支援情報は、これと対応するエネルギー消費機器用のブラウザ画面４０に表示される。例えば、リビングエアコンに関する省エネルギー支援情報は、リビングエアコン用のブラウザ画面４０に表示されるようになる。さらに、ある省エネルギー支援情報が表示される際には、先ず、上述の意思表示ボタンＢ３が併せて表示される。これは、表示データ生成の際に、評価ボタンＢ１、Ｂ２の表示に先立てて意思表示ボタンＢ３を表示させるためのデータが組み込まれていることによる。そして、ユーザは、ある省エネルギー支援情報に示された内容を実行してみようと判断した場合には意思表示ボタンＢ３を押すことになる。この意思表示ボタンＢ３の押し動作を通じて、ユーザ端末２０はユーザの意思表示を受け付けることになる（Ｓ０１２）。
【００４９】
意思表示ボタンＢ３が押されると、ユーザ端末２０側では、ある省エネルギー支援情報に示された内容を実行するための時間が確保され、ユーザ端末２０は当該時間が経過するのを待つ。なお、ユーザ端末２０は、意思表示ボタンが押された時点で、センサ３から取得したエネルギー消費量の測定結果を示すデータに基づいて１時間あたりのエネルギー消費量を算出し、当該算出値を示すデータを「実行前のデータ」として記憶しておく。
そして、ユーザ端末２０は、上記の待ち時間が経過した段階で、再度、センサ３から取得したデータに基づいて１時間あたりのエネルギー消費量を算出し、当該算出データを「実行後のデータ」として記憶していく。この結果、ブラウザ画面４０には、ある省エネルギー支援情報に示された内容について「実行前の値」と「実行後の値」が対比可能に表示されることとなる（Ｓ０１３）。これにより、ユーザは、ある省エネルギー支援情報の効果を数値として定量的に把握することが可能となる。
【００５０】
以上のような情報が表示されるようになった後、ブラウザ画面４０には、評価ボタンＢ１、Ｂ２が表示されるようになる（Ｓ０１４）。そして、ユーザは、１時間あたりのエネルギー消費量に関して、「実行前の値」と「実行後の値」とを閲覧しながら、ある省エネルギー支援情報に対する評価を上記の評価ボタンＢ１、Ｂ２を押すことによって行うようになる。例えば、ある省エネルギー支援情報が有用であったと判断した場合には、『効果あり』と付記された評価ボタンＢ１を画面上で押すことになり、有用でなかったと判断した場合には『効果なし』と付記された評価ボタンＢ２を押すことになる。このようにユーザによる評価ボタンＢ１、Ｂ２の押し動作を通じて、ユーザ端末２０はユーザの評価結果を受け付けることになる（Ｓ０１５）。
【００５１】
一方で、ユーザ端末２０が入力部２２にて評価結果を受け付けると、当該評価結果を示す評価データが生成される（Ｓ０１６）。つまり、評価ボタンＢ１、Ｂ２のいずれかを押す動作により、省エネルギー支援情報が有用であるか否かについてのユーザの評価結果を示す評価データが、ユーザ端末２０側のデータ処理により生成される。生成された評価データは、データ提供サーバ１０に向けて自動的に送信される（Ｓ０１７）。そして、データ提供サーバ１０の処理部１３が、インターネット１経由でユーザ端末２０側から上記の評価データを受信することになる（Ｓ０１８）。
【００５２】
以上のように評価データ受信処理では、処理部１３が、表示データ提供処理にて提供された表示データに応じた省エネルギー支援情報（換言すると、特定処理にて特定された投稿データが示す省エネルギー支援情報）に対する評価結果を示す評価データを、通信部１１を介してユーザ端末２０側から受信する。ここで、評価データには、評価ボタンＢ１、Ｂ２のうち、いずれのボタンが押されたのかを示すデータに加え、意思表示ボタンＢ３が押されたことを示すデータも含まれている。すなわち、本実施形態において、評価結果とは、省エネルギー支援情報が有効であったか否かの判断結果と、省エネルギー支援情報が示す内容を実際に実行してみるか否かの判断結果とを含むものである。
【００５３】
なお、本実施形態において、ユーザ端末２０は、評価データをデータ提供サーバ１０に向けて送信する際、送信元情報として端末特定データを共に送信する。ここで、端末特定データとは、評価データをデータ提供サーバ１０に向けて送信したユーザ端末２０を特定するためのデータである。一方で、処理部１３は、評価データ受信処理において、評価データと共に端末特定データをユーザ端末２０側から受信するようになる。
【００５４】
＜関連付け処理＞
関連付け処理とは、特定処理にて特定された投稿データと評価データ受信処理にて受信された評価データとを関連付けて記憶する処理である。さらに、本実施形態では、評価データ受信処理にて評価データを新たに受信する毎に、関連付け処理を実行することとなっている。以下、図６及び図７を参照しながら、関連付け処理について説明する。図６は、第１データベースＤ１を示す図である。図７は、第２データベースＤ２を示す図である。
【００５５】
データ提供サーバ１０では、２つのデータベース（第１データベースＤ１、第２データベースＤ２）が保存部１２に保存されており、さらに、特定処理にて特定された投稿データと評価データ受信処理にて受信された評価データとを関連付けて記憶するためのプログラムが搭載されている。ここで、第１データベースＤ１とは、図６に示すように、特定処理で特定した投稿データに応じた省エネルギー支援情報について、その内容を示す文字データを記憶したデータベースである。処理部１３は、特定処理で投稿データを特定する度に、当該投稿データに応じた省エネルギー支援情報を示す文字データを、第１データベースＤ１に追加して記憶する。この際、省エネルギー支援情報に対して採番を行い、採番された番号（以下、キー番号）のデータとともに、省エネルギー支援情報を示す文字データが第１データベースＤ１に記憶される。
【００５６】
一方、省エネルギー支援情報に対する評価データを評価データ受信処理で受信した場合、処理部１３は、当該評価データを第２データベースＤ２に記憶する。ここで、第２データベースＤ２とは、図７に示すように、省エネルギー支援情報毎に評価データを記憶したデータベースである。第２データベースＤ２には、前述のキー番号のデータが記憶されており、評価データは、その評価対象である省エネルギー支援情報に対して採番されたキー番号に対応させて記憶されることになる。これにより、第１データベースＤ１と第２データベースＤ２がキー番号によって紐付け管理されるようになり、互いに対応する表示データと評価データとがキー番号を介して関連付けられることになる。
【００５７】
以上のように、関連付け処理において「投稿データと評価データとを関連付けて記憶する」とは、投稿データと評価データとを、それぞれ、投稿データに応じた省エネルギー支援情報（換言すると、評価データが示す評価結果の対象となった省エネルギー支援情報）に対して割り当てられたキー番号と対応させて記憶することを意味する。つまり、ある省エネルギー支援情報に関する投稿データと、当該ある省エネルギー支援情報に対する評価データとは、同じキー番号の元で管理された状態で記憶されることになる。
【００５８】
なお、本実施形態では、省エネルギー支援情報とキー番号とを対応付けた第１データベースＤ１、及び、評価データに応じた評価結果とキー番号とを対応付けた第２データベースＤ２がそれぞれ用意されるが、例えば、省エネルギー支援情報とそれに対する評価結果との対応関係を示したテーブルデータを記憶する構成であってもよい。
【００５９】
そして、本実施形態では、評価データ受信処理にて評価データを新たに受信する毎に、関連付け処理を実行することとしている。具体的に説明すると、評価データ受信処理にて評価データを新たに受信すると、処理部１３は、第２データベースＤ２において評価結果の集計値（具体的には、評価ボタンＢ１、Ｂ２及び意思表示ボタンＢ３の各々について求めた、ボタン押し回数の集計値）を修正するように関連付け処理を実行し、第２データベースＤ２を更新する。
【００６０】
さらに、本実施形態において、処理部１３は、評価データ受信処理を実行する際に、省エネルギー支援情報と当該省エネルギー支援情報に対して既に評価データを送信済みのユーザ端末２０との対応関係、を示すテーブルデータＴ（図８参照）を作成して記憶する。このテーブルデータＴは、評価データ受信処理実行の際に評価データと共に受信する端末特定データに基づいて作成され、評価データ受信処理にて評価データを新たに受信する毎に更新される。なお、図８は、テーブルデータＴを示す図であり、同図中、「○」が付された項目については既に評価結果を受け付け済みであることを意味し、「−」が付された項目については未だ評価結果を受け付けていないことを意味している。
【００６１】
以上のように関連付け処理では、処理部１３が、特定処理にて特定された投稿データと、評価データ受信処理にて受信された評価データとを、それぞれ、省エネルギー支援情報に対して割り当てられたキー番号を介して、関連付けて記憶する。さらに、処理部１３は、評価データ受信処理にて評価データを新たに受信する毎に、関連付け処理を実行して第２データベースＤ２を更新する。これにより、特定処理にて特定された投稿データと、評価データ受信処理にて受信された評価データと、を適切に関連付けられると共に、省エネルギー支援情報に対する評価結果について、最新の内容をユーザに報知することができるようにデータ管理することが可能になる。
【００６２】
なお、複数のキーワード（あるいはキーワード群）が指定されて、キーワード別（あるいはキーワード群別）に特定処理が実行された場合、キーワード別（あるいはキーワード群別）に第１データベースＤ１や第２データベースＤ２を作成し記憶するのが望ましい。つまり、キーワード（あるいはキーワード群）によって区分（カテゴリ）を決め、カテゴリ毎にデータ管理を行うことになれば、データ管理がより容易になる。また、表示データ作成処理において後述の評価付き表示データを作成する際、カテゴリ毎に当該データ作成を行うことが可能になれば、例えば、ユーザが関心を持つカテゴリに限定して評価付き表示データを作成し提供することが可能になるので、過剰な情報提供や膨大な容量のデータ送信を回避することが可能になる。
【００６３】
＜関連付け処理実行後の表示データ提供処理＞
本実施形態において、データ提供サーバ１０の処理部１３は、関連付け処理の実行後に表示データ提供処理を実行する場合には、関連付け処理にて関連付けられた投稿データと評価データの双方に基づいて、当該双方に応じた省エネルギー支援情報及び評価結果を表示させるための評価付き表示データを生成し、通信部１１を介して、当該評価付き表示データをユーザ端末２０に向けて送信する。ここで、評価付き表示データとは、表示データの一種であり、省エネルギー支援情報とそれに対する評価結果とをユーザ端末２０の表示部２１に表示させるためのデータである。
【００６４】
データ提供サーバ１０には、前述したように、特定処理で特定した投稿データに基づいて、省エネルギー支援情報を表示させるための表示データを生成して、当該表示データをユーザ端末２０に向けて提供するプログラムが搭載されている。さらに、このプログラムには、省エネルギー支援情報とそれに対する評価結果とが併せて表示されるように表示データを作成する機能が備えられている。つまり、処理部１３は、図９に示すように、ある省エネルギー支援情報に関する投稿データと、その評価結果を示す評価データと、を関連付けて記憶した後に、ある省エネルギー支援情報を表示させるための表示データを生成する場合には、ある省エネルギー支援情報とその評価結果とを併せて表示させるための評価付き表示データを生成する。図９は、評価付き表示データを生成・提供する手順を示す概念図である。
【００６５】
以下、図１０を参照しながら、本実施形態に係る表示データ作成処理の流れについて説明する。図１０は、表示データ作成処理の流れを示すフロー図である。
【００６６】
処理部１３は、ユーザ端末２０からのデータ送信要求を受信したときに表示データ作成処理の実行を開始する（Ｓ０２１）。処理部１３は、表示データ作成処理の実行開始に伴い、先ず第１データベースＤ１、第２データベースＤ２及びテーブルデータＴを参照する（Ｓ０２２）。次に、処理部１３は、データ送信を要求してきたユーザ端末２０を特定する（Ｓ０２３）。この特定処理は、例えば、ユーザ端末２０が出力したデータ送信要求信号を処理部１３が解析することによって行われる。
【００６７】
データ送信を要求してきたユーザ端末２０を特定した後、処理部１３は、第２処理において評価データと共に受信した端末特定データを読み取り、端末特定データに基づいて、端末特定データに係るユーザ端末２０（以下、被特定端末という）を特定する（Ｓ０２４）。本実施形態では、テーブルデータＴを参照することにより、省エネルギー支援情報毎に、端末特定データに係る被特定端末を特定することができる。
【００６８】
その後、処理部１３は、省エネルギー支援情報毎に、データ送信を要求してきたユーザ端末２０が被特定端末に該当するか否かを判定する（Ｓ０２５）。判定の結果、データ送信を要求してきたユーザ端末２０がいずれかの省エネルギー支援情報について被特定端末となっていると判断した場合（換言すると、上記のユーザ端末２０がいずれかの省エネルギー支援情報について既に評価データを送信している場合）（Ｓ０２５でＹｅｓ）、処理部１３は、当該ユーザ端末２０の表示部２１に表示させる省エネルギー支援情報を選抜する情報選抜処理を行う（Ｓ０２６）。
【００６９】
上記の情報選抜について詳しく説明すると、処理部１３は、テーブルデータＴを参照することにより、省エネルギー支援情報のうち、データ送信を要求してきたユーザ端末２０が既に評価結果を受け付けたものを特定する。そして、処理部１３は、特定された省エネルギー支援情報以外の省エネルギー支援情報を選抜し、選抜された省エネルギー支援情報を表示させるための表示データを生成する。
【００７０】
以上の処理を経て生成される表示データは、データ送信を要求してきたユーザ端末２０の入力部２２では、未だ評価結果が受け付けられていない省エネルギー支援情報とそれに対する評価結果とを被特定端末の表示部２１に表示させるためのデータとなる。つまり、上記の情報選抜を行うことにより、本実施形態では、データ送信を要求したユーザ端末２０において未評価の情報のみを当該ユーザ端末２０に対して提供することが可能になる。この結果、例えば、ユーザが未だ評価していないような新着情報を優先的に表示させることが可能になり、ユーザにとって利便性の高い情報提供サービスが実現可能となる。
【００７１】
なお、データ送信を要求してきたユーザ端末２０がいずれの省エネルギー支援情報についても被特定端末に該当しない場合には（Ｓ０２５でＮｏ）、上記処理の実行は省略される。また、データ送信を要求してきたユーザ端末２０がいずれかの省エネルギー支援情報について被特定端末となっていると判断した場合であっても、上記処理の実行を省略することとしてもよい。ただし、未評価の省エネルギー支援情報を優先的に表示させるという点においては、本実施形態の方がより好適である。
【００７２】
次に、処理部１３は、選抜された各省エネルギー支援情報について、当該各省エネルギー支援情報に関する投稿データが評価データと関連付けられているかどうかを確認する（Ｓ０２７）。確認の結果、選抜された省エネルギー支援情報に関する投稿データが評価データと関連付けられていると判断された場合（Ｓ０２７でＹｅｓ）、処理部１３は、関連付けられた投稿データ及び評価データに基づいて、評価付き表示データを生成することになる。ここで、複数の省エネルギー支援情報及び評価結果を表示させるための評価付き表示データを生成する場合（Ｓ０２８でＹｅｓ）には、処理部１３は、各省エネルギー支援情報の表示順位を決めた上で、当該表示順位にて各省エネルギー支援情報が表示されるように評価付き表示データを作成する（Ｓ０２９、Ｓ０３０）。
【００７３】
省エネルギー支援情報の表示順位については、投稿データ毎に関連付けた評価データに基づいて、投稿データ毎（換言すると、省エネルギー支援情報毎）に決められる。具体的に説明すると、処理部１３は、第１データベースＤ１及び第２データベースＤ２を参照し、省エネルギー支援情報毎に、評価結果の集計値（具体的には、評価ボタンＢ１、Ｂ２及び意思表示ボタンＢ３の各々について求めたボタン押し回数の集計値）を特定する。そして、各省エネルギー支援情報に対する評価結果の集計値に基づいて、一定の基準に従って、各省エネルギー支援情報の表示順位が決められる（Ｓ０２９）。
【００７４】
ここで、表示順位を決める際の基準としては、例えば、評価ボタンＢ１、Ｂ２及び意思表示ボタンＢ３のボタン押し回数の合計値が大きいものほど上位になるようにしてもよく、あるいは、評価ボタンＢ１のボタン押し回数から評価ボタンＢ２のボタン押し回数を差し引いた差が大きいものほど上位になるようにしてもよい。
【００７５】
各省エネルギー支援情報の表示順位を決めた後、処理部１３は、複数の省エネルギー支援情報が、それぞれ、対応する表示順位に従ってユーザ端末２０の表示部２１に表示されるように評価付き表示データを生成する（Ｓ０３０）。
【００７６】
以上のように、本実施形態では、複数の省エネルギー支援情報及び評価結果を表示させるための評価付き表示データを生成する場合には、投稿データ毎に関連付けた評価データに基づいて、投稿データに応じた省エネルギー支援情報の各々に対して表示順位を決め、各省エネルギー支援情報が対応する表示順位にて表示されるように評価付き表示データを作成する。すなわち、本実施形態では、各省エネルギー支援情報をその評価結果（本実施形態においては、評価結果の集計値）に応じた表示順位にて表示させることが可能になる。この結果、ユーザ端末２０の表示部２１において、例えば、高評価を得ている省エネルギー支援情報ほど上位に表示させることが可能になり、ユーザにとってより利便性の高い情報提供サービスが実現可能となる。
【００７７】
なお、単一の省エネルギー支援情報を表示させる評価付き表示データを作成する場合（Ｓ０２８でＮｏ）には、上記の表示順位決めは省略される。また、複数の省エネルギー支援情報を表示させる評価付き表示データを作成する場合であっても、上記の表示順位決めを行わず、例えば、新着の情報から順に表示されるように評価付き表示データを作成することとしてもよい。ただし、評価結果に応じて表示順位を決めることにより、高評価を得ている省エネルギー支援情報が優先的に表示される点においては、本実施形態の方がより好適である。
【００７８】
一方、情報選抜において選抜された省エネルギー支援情報に関する投稿データが評価データと関連付けられていないと判断された場合（Ｓ０２７でＮｏ）には、当該省エネルギー支援情報と併せて表示する評価結果のデータ（評価データ）がないので、当該データが組み込まれない状態で表示データが生成される（Ｓ０３１）。かかる場合には、例えば、省エネルギー支援情報に対する評価結果として初期値（すなわち、０（零））を表示させるためのデータが表示データの中に組み込まれることとしてもよい。また、情報選抜において複数の省エネルギー支援情報が選抜された場合において、投稿データと評価データとが関連付けられているものと、関連付けられていないものとが混在している際には、投稿データと評価データとが関連付けられている省エネルギー支援情報については評価結果が併せて表示されるように評価付き表示データを生成すればよい。
【００７９】
表示データ又は評価付き表示データが完成すると、処理部１３は、通信部１１を介して送信先のユーザ端末２０に向けて上記のデータを提供する（Ｓ０３２）。そして、表示データ又は評価付き表示データの提供をもって、表示データ提供処理が終了する。
【００８０】
以上までに説明してきた通り、本実施形態では、関連付け処理の実行後に表示データ提供処理を実行する場合には、関連付け処理にて関連付けられた投稿データと評価データの双方に基づいて、当該双方に応じた省エネルギー支援情報及び評価結果を表示させるための評価付き表示データを生成し、生成した評価付き表示データをユーザ端末２０に向けて送信する。また、本実施形態では、評価付き表示データを生成するにあたり、ユーザ端末２０側で実際に表示させる省エネルギー支援情報を選抜し、各省エネルギー支援情報の表示順位を決定する等して、ユーザに対する利便性を考慮して評価付き表示データを作成する。
【００８１】
一方、評価付き表示データを受信したユーザ端末２０側では、ユーザ端末２０に搭載されたプログラムにより、上記の評価付き表示データに応じた省エネルギー支援情報がブラウザ画面４０に表示されるようになる。そして、ブラウザ画面４０において、各省エネルギー支援情報は前述の表示順位で表示され、各省エネルギー支援情報に対する評価結果は当該各省エネルギー支援情報と対応させて表示される（例えば、図３参照）。なお、本実施形態では、省エネルギー支援情報やその評価結果とともに、前述した評価ボタンＢ１、Ｂ２及び意思表示ボタンＢ３（ユーザの評価結果を受け付けるためのボタン）が表示されるようになっている。換言すると、評価付き表示データの中には、評価ボタンＢ１、Ｂ２及び意思表示ボタンＢ３を表示させるためのデータが組み込まれている。
【００８２】
＜＜本実施形態に係るデータ提供方法について＞＞
次に、上記のデータ提供サーバ１０を用いて実現されるデータ提供方法について、図１１、図１２、図１３Ａ〜１３Ｃに示された具体例に基づいて説明する。図１１、図１２、及び、図１３Ａ〜１３Ｃは、本実施形態に係るデータ提供方法に関する具体例を示した図である。なお、図１３Ｃについては、図８と同様、テーブルデータＴを示す図であり、同図中、ユーザ端末２０から既に評価データを送信しているユーザと省エネルギー支援情報との組み合わせについては「○」が付されており、未だ評価結果を受け付けていない組み合わせについては「−」が付されている。
【００８３】
本具体例において、図１１に示すように、インターネット１を介してデータ提供サーバ１０と通信可能な投稿データ提供サーバ３０として、第１の投稿データ提供サーバ３１と第２の投稿データ提供サーバ３２が存在する。上記の状態において、データ提供サーバ１０の処理部１３は、一定期間ごとに、第１の投稿データ提供サーバ３１及び第２の投稿データ提供サーバ３２と通信して、投稿データ提供サーバ３０に保存されている投稿データの中から、データ提供サーバ１０が提供していない省エネルギー支援情報に関する投稿データを探索する。本実施形態では、前述したように、探索条件として予めキーワードが指定されており、当該キーワードを基に、上記の要件を満たす投稿データを探索する。
【００８４】
そして、ある時点に行われた探索処理において、上記キーワードを含む省エネルギー支援情報Ｊ１、Ｊ２、Ｊ３の投稿データが第１の投稿データ提供サーバ３１に存在し、データ提供サーバ１０にはないと判断すると、処理部１３は、特定処理を実行する。すなわち、処理部１３は、データ提供サーバ１０が提供していない省エネルギー支援情報に関する投稿データとして、省エネルギー支援情報Ｊ１、Ｊ２、Ｊ３に関する投稿データを特定する。
【００８５】
その後、処理部１３は、図１２に示すように、省エネルギー支援情報Ｊ１、Ｊ２、Ｊ３を示す文字データを第１データベースＤ１に追加記憶する。この際、追加記憶された省エネルギー支援情報Ｊ１、Ｊ２、Ｊ３のそれぞれに対して、キー番号が採番され、当該キー番号とともに各省エネルギー支援情報Ｊ１、Ｊ２、Ｊ３を示す文字データが第１データベースＤ１に記憶される。また、キー番号の採番に伴い、第２データベースＤ２には、採番されたキー番号に対応するデータ領域（すなわち、省エネルギー支援情報Ｊ１、Ｊ２、Ｊ３に対する評価データの格納領域）が確保される。
なお、省エネルギー支援情報Ｊ１、Ｊ２、Ｊ３を示す文字データを第１データベースＤ１に追加した時点では、当該省エネルギー支援情報Ｊ１、Ｊ２、Ｊ３に対する評価結果のデータ（評価データ）が未だない段階である。このため、かかる段階では、第２データベースＤ２における省エネルギー支援情報Ｊ１、Ｊ２、Ｊ３に対する評価結果として、初期値（すなわち、０（零））が記憶されている。
【００８６】
上記の処理が完了した後、処理部１３は、ユーザ端末２０側からのデータ送信命令を受信するまで待機し、ユーザ端末２０側からのデータ送信要求を受信すると、第１データベースＤ１及び第２データベースＤ２を参照して、省エネルギー支援情報Ｊ１、Ｊ２、Ｊ３を表示させるための表示データを生成し、当該表示データをユーザ端末２０に向けて提供する。
なお、省エネルギー支援情報Ｊ１、Ｊ２、Ｊ３に関する表示データが最初に提供されるときには、前述の如く評価結果のデータ（評価データ）が未だないので、評価結果の初期値が表示されるように表示データが生成される。また、表示データの中には、省エネルギー支援情報Ｊ１、Ｊ２、Ｊ３の各々について、評価結果入力用の評価ボタンＢ１、Ｂ２、及び、各省エネルギー支援情報の内容に対する意思表示用の意思表示ボタンＢ３を表示させるためのデータが組み込まれている。
【００８７】
一方、データ送信要求の発信元であるユーザ端末２０が上記の評価付き表示データを受信すると、省エネルギー支援情報Ｊ１、Ｊ２、Ｊ３が当該ユーザ端末２０の表示部２１に表示されるようになる。そして、省エネルギー支援情報Ｊ１、Ｊ２、Ｊ３を閲覧するユーザ（例えば、ユーザＸ）は、各々の情報について、評価ボタンＢ１、Ｂ２又は意思表示ボタンＢ３を押す動作を行うことにより、各省エネルギー支援情報Ｊ１、Ｊ２、Ｊ３に対する評価結果を入力することが可能になる。換言すると、ユーザＸが所有するユーザ端末２０は、上記の入力動作を介して、各省エネルギー支援情報Ｊ１、Ｊ２、Ｊ３に対するユーザＸの評価結果を受け付けることになる。
【００８８】
そして、ユーザ端末２０は、ユーザの評価結果を受け付けると、当該評価結果を示す評価データを生成し、その評価データをデータ提供サーバ１０に向けて送信する。この際、ユーザ端末２０は、評価データと共に、送信元情報として端末特定データを送信する。一方で、データ提供サーバ１０の処理部１３は、ユーザ端末２０からの評価データ及び端末特定データをインターネット１経由で受信する評価データ受信処理を実行する。
【００８９】
これらのデータを受信した後、処理部１３は、関連付け処理を実行して、省エネルギー支援情報Ｊ１、Ｊ２、Ｊ３の表示データと、当該省エネルギー支援情報Ｊ１、Ｊ２、Ｊ３に対する評価データとを関連付けて記憶する。具体的に説明すると、処理部１３は、ユーザ端末２０側から受信した評価データを、省エネルギー支援情報Ｊ１、Ｊ２、Ｊ３に対して割り当てられたキー番号に対応させて第２データベースＤ２に記憶する。
【００９０】
例えば、ユーザＸのユーザ端末２０側から省エネルギー支援情報Ｊ１に対する評価データを受信した場合、処理部１３は、当該評価データを、省エネルギー支援情報Ｊ１に割り当てられたキー番号（図１２中では「１０１」と表記）と対応付けて第２データベースＤ２に記憶する（具体的には、キー番号「１０１」に対応するデータ領域に保存する）。さらに、処理部１３は、関連付け処理を実行する中で、省エネルギー支援情報と既に評価データ送信済みであるユーザ端末２０との対応関係を示すテーブルデータＴを記憶する。
【００９１】
その後、評価データを更に受信すると、処理部１３は、評価データを受信する度に（換言すると、評価データ受信処理を実行する度に）関連付け処理を実行して、第２データベースＤ２及びテーブルデータＴを更新する。
【００９２】
以上のような手順にて特定処理〜関連付け処理が複数回実行され、図１３Ａ〜図１３Ｃに示す状態に至り、かかる状況（すなわち、関連付け処理が複数回実行された後）において、処理部１３は、ユーザＸのユーザ端末２０側からデータ送信命令を受信すると、関連付けられた投稿データ及び評価データに基づいて表示データ提供処理を実行する。すなわち、第１データベースＤ１及び第２データベースＤ２を参照して、評価付き表示データを生成してユーザＸのユーザ端末２０に向けて提供する。
【００９３】
具体的に説明すると、ユーザＸのユーザ端末２０からのデータ送信命令が受信された時点で、処理部１３は、ユーザＸのユーザ端末２０から省エネルギー支援情報Ｊ１、Ｊ４、Ｊ６に対する評価データを受信している。すなわち、テーブルデータＴ上、ユーザＸのユーザ端末２０は、省エネルギー支援情報Ｊ１、Ｊ４、Ｊ６に関して既に評価データ送信済みであるとして登録されていることになる。そこで、処理部１３は、ユーザＸに提供する省エネルギー支援情報として、省エネルギー支援情報Ｊ２、Ｊ３、Ｊ５を選抜することになる。
【００９４】
次に、処理部１３は、省エネルギー支援情報Ｊ２、Ｊ３、Ｊ５を表示部２１に表示させる際の表示順位を決定する。表示順位の決定にあたり、処理部１３は、第２データベースＤ２を参照し、上記の省エネルギー支援情報Ｊ２、Ｊ３、Ｊ５の各々について、評価結果の集計値（具体的には、評価ボタンＢ１、Ｂ２、及び、意思表示ボタンＢ３の各々について求めた、ボタン押し回数の集計値）を特定する。そして、例えば、評価ボタンＢ１のボタン押し回数から評価ボタンＢ２のボタン押し回数を差し引いた差が大きいものほど上位になるように表示順位を決める。なお、図１３Ｂに示すケースでは、省エネルギー支援情報Ｊ３が１番目、省エネルギー支援情報Ｊ５が２番目、省エネルギー支援情報Ｊ２が３番目となる。
【００９５】
そして、表示順位の決定後、処理部１３は、選抜した省エネルギー支援情報Ｊ２、Ｊ３、Ｊ５と、それぞれに対する評価結果とが対応する表示順位で表示されるように、評価付き表示データを作成し、ユーザＸのユーザ端末２０に向けて当該評価付き表示データを提供する。この評価付き表示データをユーザＸのユーザ端末２０が受信すると、その表示部２１に、省エネルギー支援情報Ｊ２、Ｊ３、Ｊ５、及び、各々に対する評価結果が、それぞれに対して決められた表示順で表示される。なお、前述したように、表示部２１には、省エネルギー支援情報Ｊ２、Ｊ３、Ｊ５や各々に対する評価結果のほか、ユーザの評価結果を受け付けるための評価ボタンＢ１、Ｂ２及び意思表示ボタンＢ３が省エネルギー支援情報毎に表示される。
【００９６】
また、図１３Ａ〜図１３Ｃに示す状態において、ユーザＹのユーザ端末２０からデータ送信要求があると、処理部１３は、上記と同様の手順により、評価付き表示データを作成し、ユーザＹのユーザ端末２０に向けて当該評価付き表示データを提供する。この評価付き表示データを受信したユーザ端末２０の表示部２１には、図１３Ｂに示すように、省エネルギー支援情報とその評価結果が、Ｊ３、Ｊ１、Ｊ２の順で表示されるようになる。
【００９７】
＜＜本実施形態のデータ提供方法の有効性について＞＞
本発明のデータ提供方法では、投稿データ提供サーバ３０と通信して、投稿データ提供サーバ３０に保存されている投稿データの中から、データ提供サーバ１０に保存されている表示データに応じた省エネルギー支援情報とは異なる省エネルギー支援情報に関する投稿データを特定する特定処理と、特定処理にて特定された投稿データに基づいて、投稿データに応じた省エネルギー支援情報を表示させるための表示データを生成し、生成した表示データをユーザ端末２０に向けて提供する表示データ提供処理と、表示データ提供処理にて提供された表示データに応じた省エネルギー支援情報、に対してユーザ端末２０の入力部２２にて受け付けられた評価結果、を示す評価データをユーザ端末２０側から受信する評価データ受信処理と、特定処理にて特定された投稿データと評価データ受信処理にて受信された評価データとを関連付けて記憶する関連付け処理と、を有し、前記データ提供サーバを用いてそれぞれの処理を実行する。そして、関連付け処理の実行後に表示データ提供処理を再度実行する場合には、関連付け処理にて関連付けられた投稿データ及び評価データの双方に基づいて、当該双方に応じた省エネルギー支援情報及び評価結果を表示させるための評価付き表示データを生成し、生成した評価付き表示データをユーザ端末２０に向けて提供する。これにより、データ提供サーバ１０を通じてユーザに提供される省エネルギー支援情報に関して、バリエーションを充実させつつ、より効果的な情報提供を実現することが可能になる。
【００９８】
すなわち、発明が解決しようとする課題の項で説明したように、従来は、データ提供サーバの管理者（すなわち、情報提供サービスの運営者）が省エネルギー支援情報を自前で準備し、準備できた範囲内で情報提供サービスを行っていた。つまり、従来のデータ提供サーバは、その管理者が持ち合わせている範囲内でしかデータを提供することができず、当該データ提供サーバを通じて提供される省エネルギー支援情報については、内容や件数が限られるため、バリエーションについても乏しいものであった。
【００９９】
さらに、情報提供サービスの利用者（ユーザ）側では、提供される省エネルギー支援情報に関して、有用性や効果の度合いについての開示を求める場合がある。つまり、省エネルギー支援情報を提供する際に、有用性や効果などの付帯情報がなければ、ユーザは、どの情報を利用すべきか分からなくなってしまう虞がある。このような状況において、単に省エネルギー支援情報の件数を増やしたとしても、効果的な情報を提供することができない以上、提供した情報が有効に利用されず、却ってユーザを困惑させる可能性もある。
【０１００】
これに対して、本実施形態のデータ提供方法であれば、データ提供サーバ１０の機能を通じて省エネルギー支援情報を外部情報源としての投稿データ提供サーバ３０から収集する結果、ユーザに提供可能な生活支援情報に関して、バリエーションを充実させることが可能になる。また、データ提供サーバ１０の機能を通じて、投稿データ提供サーバ３０から収集した省エネルギー支援情報に対するユーザの評価結果をユーザ端末２０側から入手し、以降、その省エネルギー支援情報を提供する際には、当該省エネルギー支援情報に対する評価結果と併せてユーザに提供する。この結果、ユーザは、どの情報が有用であるのかを判別できるようになり、ユーザにとってより効果的な生活支援情報が提供されるようになる。
【０１０１】
＜＜その他の実施形態＞＞
上記の実施形態には、主として本発明のデータ提供方法及びデータ提供サーバ１０について説明した。さらに、上記の説明には、本発明のデータ提供方法における各処理（すなわち、特定処理〜関連付け処理）をデータ提供サーバ１０に実行させるためのプログラムの開示も含まれている。ただし、上記の実施形態は、本発明の理解を容易にするためのものであり、本発明を限定するものではない。本発明は、その趣旨を逸脱することなく、変更、改良され得ると共に、本発明にはその等価物が含まれることは勿論である。
【０１０２】
また、上記の実施形態において、表示データは、ユーザ端末２０の表示部２１に省エネルギー支援情報を表示させるためのデータであり、評価データは、省エネルギー支援情報が有用であるか否かについての評価結果を示すデータであることとした。かかる場合には、バリエーションが豊富であり、かつ、効果的な省エネルギー支援情報を提供することが可能になる。ただし、生活支援情報は省エネルギー支援情報に限定されるものではなく、例えば、家庭内での掃除方法など、生活に関する有用な（有益な）情報である限り、他の情報であってもよい。
【０１０３】
また、上記の実施形態においては、データ提供サーバ１０の処理部１３が、自動的にユーザの利便性を考慮して省エネルギー支援情報の選抜や表示順位を決定し、評価付き表示データを作成することとした。ただし、これに限定されるものではなく、例えば、どの省エネルギー支援情報を表示させるか、どのような順位で表示させるか等については、ユーザが管理画面（情報提供サービスを運営する者のホームページ等）にて指定できるようにし、当該管理画面で指定した内容を反映する形で処理部１３が評価付き表示データを作成することとしてもよい。
【０１０４】
また、上記の実施形態においては、データ提供サーバ１０の処理部１３が省エネルギー支援情報を表示画面に表示させる際、先ず、省エネルギー支援情報と、当該省エネルギー支援情報が示す内容に対するユーザの意思表示を示すための意思表示ボタンＢ３を表示させることとした。この意思表示ボタンＢ３を押していない限り、省エネルギー支援情報の有効性を評価するための評価ボタンＢ１、Ｂ２が表示されず、当該省エネルギー支援情報に対するユーザの評価結果を受け付けないこととした。ただし、これに限定されるものではなく、例えば、省エネルギー支援情報を表示画面に表示させる当初から評価ボタンＢ１、Ｂ２が表示されていてもよい。
【０１０５】
さらに、上記の実施形態においては、上記の意思表示ボタンＢ３が押された場合には、表示画面に、エネルギー消費に関する情報（例えば、１時間あたりのエネルギー消費量）を、省エネルギー支援情報が示す内容が実行される前後の各々について表示することとした。これにより、省エネルギー支援情報の効果を定量的に把握することが可能になる。この結果、ユーザは、その後に省エネルギー支援情報に対する有効性を評価する（具体的には、評価ボタンＢ１、Ｂ２のうちのいずれかを押す）段階で、その評価指標として上記の表示を閲覧することができ、妥当な評価をすることが可能となる。しかし、これに限定されるものではなく、省エネルギー支援情報が示す内容が実行される前後の数値が表示されなくともよい。あるいは、エネルギー消費に関する情報については最新の情報だけが表示される（換言すると、省エネルギー支援情報が示す内容が実行される前の数値は表示されない）こととしてもよい。ただし、省エネルギー支援情報の効果を定量的に把握し、それを評価指標として利用することができる点では、上記の実施形態の方が望ましい。
【符号の説明】
【０１０６】
１  インターネット、２  住宅、３  センサ、１０  データ提供サーバ、
１１  通信部、１２  保存部、
１３  処理部、２０  ユーザ端末、２１、表示部、２２  入力部、
３０  投稿データ提供サーバ、３１  第１の投稿データ提供サーバ、
３２  第２の投稿データ提供サーバ、４０  ブラウザ画面、
１００  生活支援情報提供システム
Ｂ１，Ｂ２  評価ボタン、Ｂ３  意思表示ボタン、
Ｄ１  第１データベース、Ｄ２  第２データベース、Ｔ  テーブルデータ
【図１】
0005665493.tif 000002
【図２】
0005665493.tif 000003
【図３】
0005665493.tif 000004
【図４】
0005665493.tif 000005
【図５】
0005665493.tif 000006
【図６】
0005665493.tif 000007
【図７】
0005665493.tif 000008
【図８】
0005665493.tif 000009
【図９】
0005665493.tif 000010
【図１０】
0005665493.tif 000011
【図１１】
0005665493.tif 000012
【図１２】
0005665493.tif 000013
【図１３】
0005665493.tif 000014